(57)【要約】【課題】小型化できるプロジェクターを提供すること。【解決手段】第１照明装置と、第１照明装置から出射された光を変調する第１画像形成装置５５Ｒ，５５Ｇと、第２照明装置５３と、第２照明装置５３から出射された光を変調する第２画像形成装置５５Ｂと、第１画像形成装置５５Ｒ，５５Ｇ及び第２画像形成装置５５Ｂにより変調された光を合成する合成光学装置（色合成装置５６）と、合成光学装置により合成された光を投射する投射光学装置５７と、第１照明装置及び第１画像形成装置５５Ｒ，５５Ｇの間に配置される第１光学部品を有する第１光学装置５２と、第２照明装置５３及び第２画像形成装置５５Ｂの間に配置される第２光学部品を有する第２光学装置５４と、を備え、第１光学装置５２と第２光学装置５４とは、鉛直方向に沿って互いに重なるように配置される。【選択図】図５
2015014729.tif 000002
【特許請求の範囲】
【請求項１】
第１照明装置と、
前記第１照明装置から出射された光を変調する第１画像形成装置と、
第２照明装置と、
前記第２照明装置から出射された光を変調する第２画像形成装置と、
前記第１画像形成装置及び前記第２画像形成装置により変調された光を合成する合成光学装置と、
前記合成光学装置により合成された光を投射する投射光学装置と、
前記第１照明装置及び前記第１画像形成装置の間に配置される第１光学部品を有する第１光学装置と、
前記第２照明装置及び前記第２画像形成装置の間に配置される第２光学部品を有する第２光学装置と、を備え、
前記第１光学装置と前記第２光学装置とは、鉛直方向に沿って互いに重なるように配置されることを特徴とするプロジェクター。
【請求項２】
請求項１に記載のプロジェクターにおいて、
前記第２光学装置に対して鉛直方向に沿って重なる位置に配置された前記第１光学装置を支持する支持部材を備えることを特徴とするプロジェクター。
【請求項３】
請求項２に記載のプロジェクターにおいて、
前記第２光学装置を支持するベース部材を備え、
前記支持部材は、
鉛直方向に直交し、前記第１光学装置が載置される載置部と、
前記載置部から前記ベース部材に向かって延出する延出部と、
前記延出部における前記載置部とは反対側に設けられ、前記支持部材を前記ベース部材に固定する固定部と、を有することを特徴とするプロジェクター。
【請求項４】
請求項２又は請求項３に記載のプロジェクターにおいて、
前記支持部材は、前記第１光学部品及び前記第２光学部品の少なくともいずれかに冷却空気を導くダクトを有することを特徴とするプロジェクター。
【請求項５】
請求項４に記載のプロジェクターにおいて、
前記第１光学部品及び前記第２光学部品は、それぞれ、入射される光の偏光方向を揃える偏光変換素子を含み、
前記ダクトは、前記第１光学部品及び前記第２光学部品のうち少なくともいずれかに含まれる前記偏光変換素子に前記冷却空気を導くことを特徴とするプロジェクター。
【請求項６】
請求項１から請求項５のいずれかに記載のプロジェクターにおいて、
前記第１光学部品及び前記第２光学部品は、それぞれ、
入射される光を複数の部分光束に分割する第１レンズアレイと、
前記第１レンズアレイに応じた構成を有する第２レンズアレイと、
前記第１画像形成装置及び前記第２画像形成装置のうち対応する画像形成装置に前記複数の部分光束を重畳させる重畳レンズと、を含むことを特徴とするプロジェクター。
【請求項７】
請求項１から請求項６のいずれかに記載のプロジェクターにおいて、
前記第１光学部品は、入射される光からそれぞれ異なる第１色光及び第２色光を分離する色分離装置を含み、
前記第１画像形成装置は、
前記第１色光を変調する第１色光用画像形成装置と、
前記第２色光を変調する第２色光用画像形成装置と、を有し、
前記第２画像形成装置は、前記第１色光及び前記第２色光とは異なる第３色光を変調することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像を投射する投射光学装置とを備えたプロジェクターが知られている。このようなプロジェクターとして、複数の光源装置を備えたプロジェクターが知られている（例えば、特許文献１参照）。
【０００３】
特許文献１に記載のプロジェクターは、第１光源装置、第２光源装置、均一照明装置、色分離装置、光変調装置、色合成装置及び投射光学装置を備える。第２光源装置から出射された光は、均一照明装置を構成する全反射ミラーを介してダイクロイックミラーに入射される。ダイクロイックミラーは、第１光源装置から入射される光を透過し、全反射ミラーを介して入射される光を反射させることで、これら光を合成する。そして、合成された光は、均一照明装置の他の光学部品を介して色分離装置に入射される。色分離装置は、入射された光から、赤、緑及び青の各色光を分離し、当該各色光は、色光ごとに設けられた光変調装置に入射されて変調される。変調された各色光は、色合成装置にて合成された後、投射光学装置により被投射面上に投射される。このようにして、各色光により形成される画像が観察される。
【先行技術文献】
【特許文献】
【０００４】
【特許文献１】特開２０１３−２５２１５号公報
【発明の概要】
【発明が解決しようとする課題】
【０００５】
ここで、複数の光源装置から出射された光ごとに均一照明装置を設け、それぞれの光の中心軸に直交する面内の照度を均一化する構成が考えられる。しかしながら、このような構成を２次元的に配置した場合には、各光学部品が配置される面積が大きくなり、プロジェクターが大型化するという問題がある。
【０００６】
本発明は、小型化できるプロジェクターを提供することを目的の１つとする。
【課題を解決するための手段】
【０００７】
本発明の一態様に係るプロジェクターは、第１照明装置と、前記第１照明装置から出射された光を変調する第１画像形成装置と、第２照明装置と、前記第２照明装置から出射された光を変調する第２画像形成装置と、前記第１画像形成装置及び前記第２画像形成装置により変調された光を合成する合成光学装置と、前記合成光学装置により合成された光を投射する投射光学装置と、前記第１照明装置及び前記第１画像形成装置の間に配置される第１光学部品を有する第１光学装置と、前記第２照明装置及び前記第２画像形成装置の間に配置される第２光学部品を有する第２光学装置と、を備え、前記第１光学装置と前記第２光学装置とは、鉛直方向に沿って互いに重なるように配置されることを特徴とする。
【０００８】
上記一態様によれば、第１光学装置及び第２光学装置は、鉛直方向に沿って互いに重なるように配置される。これによれば、当該第１光学装置及び第２光学装置が、鉛直方向に重ならない配置状態に比べて、上記各装置が配置される面積を小さくすることができる。従って、プロジェクターの小型化を図ることができる。
【０００９】
上記一態様では、前記第２光学装置に対して鉛直方向に沿って重なる位置に配置された前記第１光学装置を支持する支持部材を備えることが好ましい。
上記一態様によれば、支持部材により、第２光学装置に対して鉛直方向に沿って重なる位置に第１光学装置を配置できる。従って、上記面積を確実に小さくすることができ、プロジェクターの小型化を確実に図ることができる。
【００１０】
上記一態様では、前記第２光学装置を支持するベース部材を備え、前記支持部材は、鉛直方向に直交し、前記第１光学装置が載置される載置部と、前記載置部から前記ベース部材に向かって延出する延出部と、前記延出部における前記載置部とは反対側に設けられ、前記支持部材を前記ベース部材に固定する固定部と、を有することが好ましい。
上記一態様によれば、第１光学装置が載置される載置部を有する支持部材は、第２光学装置を支持するベース部材に固定される。これによれば、ベース部材及び支持部材により、第１光学装置及び第２光学装置を一体化できる。従って、プロジェクターの組立時において各光学装置の取り扱いを簡略化できる。
なお、ベース部材に、上記各照明装置、上記各光学装置、上記各画像形成装置、合成光学装置、及び、投射光学装置を取り付ける構成とすれば、プロジェクターの外装を構成する外装筐体内にて各装置を組み立てる煩雑さを低減できる。従って、このような構成であれば、プロジェクターの組立工程を簡略化できる。
【００１１】
上記一態様では、前記支持部材は、前記第１光学部品及び前記第２光学部品の少なくともいずれかに冷却空気を導くダクトを有することが好ましい。
上記一態様によれば、支持部材がダクトを有することにより、第１光学部品及び第２光学部品の少なくともいずれかに冷却空気を導くダクトを別途設ける必要がない。従って、プロジェクターを構成する部品点数の増加を抑制できる。
【００１２】
上記一態様では、前記第１光学部品及び前記第２光学部品は、それぞれ、入射される光の偏光方向を揃える偏光変換素子を含み、前記ダクトは、前記第１光学部品及び前記第２光学部品のうち少なくともいずれかに含まれる前記偏光変換素子に前記冷却空気を導くことが好ましい。
【００１３】
なお、偏光変換素子としては、偏光分離層、反射層及び位相差層を有する構成を例示できる。偏光分離層は、入射される光の中心軸に対して傾斜して配置され、所定の偏光方向を有する第１直線偏光光を透過させ、当該所定の偏光方向に直交する偏光方向を有する第２直線偏光光を反射させる層である。反射層は、当該偏光分離層を透過する第１直線偏光光の進行方向に沿うように、当該偏光分離層にて反射された第２直線偏光光を反射させる層である。位相差層は、偏光分離層を透過した第１直線偏光光、及び、反射層にて反射された第１直線偏光光のいずれかの光路上に設けられる半波長板である。このような偏光変換素子により、入射される光の偏光方向を揃えることができる。
【００１４】
ここで、偏光変換素子は、入射された光の一部が吸収されるので、温度が比較的高くなりやすい一方で、高温により劣化が進みやすい。
これに対し、上記一態様によれば、支持部材のダクトにより、第１光学部品及び第２光学部品の少なくともいずれかに含まれる偏光変換素子に冷却空気が導かれるので、当該偏光変換素子の温度上昇を抑制できる。従って、偏光変換素子の劣化を抑制できる。
【００１５】
上記一態様では、前記第１光学部品及び前記第２光学部品は、それぞれ、入射される光を複数の部分光束に分割する第１レンズアレイと、前記第１レンズアレイに応じた構成を有する第２レンズアレイと、前記第１画像形成装置及び前記第２画像形成装置のうち対応する画像形成装置に前記複数の部分光束を重畳させる重畳レンズと、を含むことが好ましい。
上記一態様によれば、第１レンズアレイにて分割された複数の部分光束は、第２レンズアレイに入射され、重畳レンズにより、対応する画像形成装置に重畳される。これによれば、当該画像形成装置に入射される光の中心軸に直交する面内の照度（輝度）を均一化できる。これら第１レンズアレイ、第２レンズアレイ及び重畳レンズは第１光学部品及び第２光学部品のそれぞれに含まれるので、上記各画像形成装置を均一に照明できる。従って、形成される画像に色むら及び輝度むらが生じることを抑制できる。
【００１６】
上記一態様では、前記第１光学部品は、入射される光からそれぞれ異なる第１色光及び第２色光を分離する色分離装置を含み、前記第１画像形成装置は、前記第１色光を変調する第１色光用画像形成装置と、前記第２色光を変調する第２色光用画像形成装置と、を有し、前記第２画像形成装置は、前記第１色光及び前記第２色光とは異なる第３色光を変調することが好ましい。
なお、色分離装置としては、特定の波長域の光を透過させ、当該波長域以外の光を反射させるダイクロイックミラー及びダイクロイックプリズムを例示できる。また、第１色光、第２色光及び第３色光としては、赤、緑及び青の色光を例示できる。
上記一態様によれば、第１照明装置から出射され、色分離装置により分離された第１色光及び第２色光は、それぞれ、第１色光用画像形成装置及び第２色光用画像形成装置により、それぞれ変調される。第２照明装置から出射された第３色光は、第２画像形成装置により変調される。これによれば、色光ごとに画像形成装置が設けられるので、形成される画像の解像度を高くすることができる他、色再現性を向上できる。
【図面の簡単な説明】
【００１７】
【図１】本発明の一実施形態に係るプロジェクターの外観を示す斜視図。
【図２】上記実施形態におけるプロジェクターの内部構成を示す模式図。
【図３】上記実施形態におけるプロジェクターの内部構成を示す模式図。
【図４】上記実施形態における光学ユニットを示す斜視図。
【図５】上記実施形態における光学ユニットを示す側面図。
【図６】図４の状態から第１光学装置を取り外した光学ユニットを示す斜視図。
【図７】図６の状態の光学ユニットを示す平面図。
【図８】上記実施形態における支持部材を示す斜視図。
【図９】上記実施形態における支持部材を示す斜視図。
【図１０】上記実施形態におけるダクト部材を示す図。
【図１１】上記実施形態におけるダクト部材を示す図。
【発明を実施するための形態】
【００１８】
以下、本発明の一実施形態について、図面に基づいて説明する。
［プロジェクターの外観構成］
図１は、本実施形態に係るプロジェクター１を上方正面側から見た斜視図である。
本実施形態に係るプロジェクター１は、内部に配置された光源装置から出射された光を変調して画像情報に応じた画像を形成し、当該画像をスクリーン等の被投射面上に拡大投射する。プロジェクター１は、図１に示すように、外装を構成する外装筐体２を備える。
【００１９】
外装筐体２は、金属又は合成樹脂製の筐体であり、アッパーケース２Ａ、ロアーケース２Ｂ及びフロントケース２Ｃを備える。アッパーケース２Ａは、外装筐体２の上面部２１と、背面部２４、右側面部２５及び左側面部２６における上面部２１側の一部とを構成する。ロアーケース２Ｂは、下面部２２と、背面部２４、右側面部２５及び左側面部２６における下面部２２側の一部とを構成する。フロントケース２Ｃは、正面部２３を構成する。これら各ケース２Ａ〜２Ｃは、互いにねじ等により固定される。
なお、以下の図及び説明において、光学ユニット５（投射光学装置５７）による画像の投射方向をＺ方向とし、Ｚ方向と直交し、かつ、互いに直交する方向をＸ方向及びＹ方向とする。以下では、Ｙ方向は、プロジェクター１が水平面上に設置された設置状態において上側を向く方向（下面部２２から上面部２１に向かう方向）とする。すなわち、当該設置状態では、Ｙ方向は、鉛直方向とは反対方向である。Ｘ方向は、当該設置状態においてプロジェクター１を正面側から見て右から左に向かう方向（右側面部２５から左側面部２６に向かう方向）とする。
【００２０】
正面部２３は、Ｘ方向に沿って互いに並列に配置された３つの開口部２３１〜２３３を有する。
中央に位置する開口部２３１は、後述する投射光学装置５７から出射された画像が通過する画像通過用開口部である。正面部２３の内面側（Ｚ方向とは反対側）には、当該開口部２３１を開閉するシャッター装置２Ｄが設けられている。
開口部２３１の左右に形成された開口部２３２，２３３は、それぞれ、外装筐体２内を流通した空気を排出する排気口である。開口部２３２，２３３には、ルーバー部材２Ｅが取り付けられている。
【００２１】
［プロジェクターの内部構成］
図２及び図３は、プロジェクター１の内部構成を示す模式図である。詳述すると、図２は、外装筐体２内を上方（上面部２１側であり、Ｙ方向側）から見た模式図であり、図３は、外装筐体２内を側方（左側面部２６側であり、Ｘ方向側）から見た模式図である。なお、図２においては、第１照明装置５１及び第１光学装置５２に対してＹ方向とは反対側に位置する第２照明装置５３及び第２光学装置５４を点線で示すこととする。
プロジェクター１は、図２及び図３に示すように、上記外装筐体２内に収納される装置本体３を備える。装置本体３は、冷却装置４（図２）及び光学ユニット５（図２及び図３）を備える他、図示を省略するが、プロジェクター１を制御する制御装置、及び、電力を供給する電源装置を備える。
【００２２】
［冷却装置の構成］
冷却装置４は、外装筐体２内で空気を流通させて、プロジェクター１を構成する冷却対象を冷却する。冷却装置４は、図２に示すように、外装筐体２における背面部２４側の位置に形成された吸気口（図示省略）を介して外部の空気を吸引する吸気ファン（図示省略）と、それぞれ開口部２３２，２３３に対向配置される一対のファン４１とを有する。吸気ファンにより吸引された外部の空気は、外装筐体２内を流通した後、上記一対のファン４１により吸引され、開口部２３２，２３３を介して外装筐体２外に排出される。
また、冷却装置４は、外装筐体２内に導入された空気を吸引して、後述するダクトＤを介して偏光変換素子５２３，５４３に送出するファン４２を有する。
【００２３】
［光学ユニットの構成］
光学ユニット５は、上記制御装置による制御の下、画像情報に応じた画像を形成及び投射する。光学ユニット５は、図２及び図３に示すように、３次元的に配置される複数の装置５１〜５７を備える。具体的に、光学ユニット５は、第１照明装置５１（図２）、第１光学装置５２（図２及び図３）、第２照明装置５３（図２）、第２光学装置５４（図３）、３つの画像形成装置５５（図３）、色合成装置５６（図３）及び投射光学装置５７（図２及び図３）を備える。
これらのうち、第１照明装置５１及び第１光学装置５２は、Ｙ方向側に位置し、第２照明装置５３及び第２光学装置５４は、Ｙ方向とは反対側に位置する。すなわち、第１照明装置５１及び第１光学装置５２と、第２照明装置５３及び第２光学装置５４とは、Ｙ方向の位置（下面部２２からの高さ位置）がそれぞれ異なるように配置される。
【００２４】
［第１照明装置の構成］
第１照明装置５１は、赤色光及び緑色光を含む光を第１光学装置５２に出射する。第１照明装置５１は、第１光源装置５１１、ダイクロイックプリズム５１２、ピックアップレンズ５１３、波長変換装置５１４及び反射部材５１５を備える。
第１光源装置５１１は、Ｚ方向とは反対方向に光を出射する。第１光源装置５１１は、図示を省略するが、それぞれ紫外領域の光を出射する複数のＬＤ（Laser Diode）がマトリクス状に配列された基板と、各ＬＤから入射される光を集光して光束として出射する集光レンズと、入射される光束を平行化する平行化レンズとを有する。
【００２５】
ダイクロイックプリズム５１２は、所定波長未満の光を反射し、当該所定波長以上の光を透過する分離層５１２１を有する。この分離層５１２１は、第１光源装置５１１から入射される光をピックアップレンズ５１３に向けて反射させ、当該光の光路をＸ方向とは反対方向に略９０度屈曲させる。また、分離層５１２１は、ピックアップレンズ５１３を介して入射される光（波長変換装置５１４にて波長変換された光）を透過させて、Ｘ方向側に位置する反射部材５１５に入射させる。
【００２６】
ピックアップレンズ５１３は、入射される光束を波長変換装置５１４のホイール５１４２に形成された蛍光層５１４４の所定部位に入射させる。また、ピックアップレンズ５１３は、当該波長変換装置５１４により波長変換された光を集光して、ダイクロイックプリズム５１２に入射させる。
【００２７】
波長変換装置５１４は、入射された光の波長を変換し、当該変換された光をピックアップレンズ５１３に反射させる。この波長変換装置５１４は、回転手段としてのモーター５１４１と、当該モーター５１４１により回転されるホイール５１４２とを有する。
ホイール５１４２は、ピックアップレンズ５１３に対向する表面に形成された反射層５１４３と、当該反射層５１４３上に積層された蛍光層５１４４とを有する。蛍光層５１４４に含まれる蛍光体は、ピックアップレンズ５１３から入射される光を吸収して励起され、所定波長の光を出射する。なお、本実施形態では、蛍光体は、第１光源装置５１１から出射された光を吸収して、赤色光及び緑色光を含む光（黄色光）を出射する。
このような蛍光体によって波長変換された光は、反射層５１４３により反射され、ピックアップレンズ５１３に入射される。なお、ホイール５１４２は、モーター５１４１によって回転されることで冷却される。
【００２８】
反射部材５１５は、Ｘ方向に沿ってダイクロイックプリズム５１２から入射される光を反射させる全反射層５１５１を有し、当該全反射層５１５１により当該光の光路をＺ方向に略９０度屈曲させる。この反射部材５１５により反射された光は、第１光学装置５２に入射される。
【００２９】
［第１光学装置の構成］
第１光学装置５２は、図２及び図３に示すように、第１レンズアレイ５２１、第２レンズアレイ５２２、偏光変換素子５２３、重畳レンズ５２４、ダイクロイックミラー５２５及び２つの光学調整装置６（６Ａ，６Ｂ）を第１光学部品として備える他、これらを内部に収納する第１光学部品用筐体５２Ａを備える。
【００３０】
第１レンズアレイ５２１、第２レンズアレイ５２２、偏光変換素子５２３及び重畳レンズ５２４は、第１光源装置５１１から入射される光の中心軸に直交する面内の照度を均一化する均一照明装置として機能する。
第１レンズアレイ５２１は、詳しい図示を省略するが、入射される光束を複数の部分光束に分割する複数の第１小レンズがマトリクス状に配列された構成を有する。
第２レンズアレイ５２２は、第１レンズアレイ５２１の各第１小レンズに応じた複数の第２小レンズがマトリクス状に配列された構成を有する。第２レンズアレイ５２２及び重畳レンズ５２４は、入射される各部分光束を、後述する画像形成装置５５（５５Ｒ，５５Ｇ，５５Ｂ）の反射型光変調装置５５２の画像形成領域に重畳させて、当該画像形成領域を均一に照明する。
偏光変換素子５２３は、入射された光の偏光方向を一種類に揃える。偏光変換素子５２３は、図示を省略するが、偏光分離層、反射層及び位相差層を有する。
【００３１】
ダイクロイックミラー５２５は、均一化された光から緑色光と赤色光とを分離する色分離装置として機能する。ダイクロイックミラー５２５は、図３に示すように、入射される光束の中心軸に対して傾斜して配置される。ダイクロイックミラー５２５は、当該光束に含まれる赤色光を透過させて、赤用の画像形成装置５５Ｒに入射させ、当該光束に含まれる緑色光をＹ方向とは反対方向に反射させて、緑用の画像形成装置５５Ｇに入射させる。このダイクロイックミラー５２５により分離された赤色光及び緑色光は、本発明の第１色光及び第２色光に相当する。
なお、ダイクロイックミラー５２５に代えて、当該ダイクロイックミラー５２５と同様の色分離特性を有する色分離層が形成されたプリズムを採用してもよい。
【００３２】
光学調整装置６（６Ａ，６Ｂ）は、入射される光束の光路上に挿抜される調整部材を有し、当該光束の光学特性を調整する。
光学調整装置６Ａは、第２レンズアレイ５２２と偏光変換素子５２３との間に配置される。光学調整装置６Ａは、入射される光束の一部を遮蔽して、当該光束の中心軸に対する直交面内における当該光束の形状（すなわち、光束の透過領域の形状）を調整する。光学調整装置６Ａにより、当該光束における周縁部分の光が遮蔽されることで、後述する反射型光変調装置５５２への入射角度が小さい中心光束を当該反射型光変調装置５５２に入射させることができ、形成される画像のコントラストが向上される。
【００３３】
光学調整装置６Ｂは、重畳レンズ５２４とダイクロイックミラー５２５との間に配置される。光学調整装置６Ｂは、入射される光束の色域を調整する。本実施形態では、光学調整装置６Ｂは、入射される光のうち、緑色光の波長と赤色光の波長との間の中間波長の色光の強度を減衰させることで、ダイクロイックミラー５２５による緑色光及び赤色光の分離を良好にさせ、形成される画像の色再現性を向上させる。
【００３４】
第１光学部品用筐体５２Ａは、合成樹脂製の筐体である。第１光学部品用筐体５２Ａは、図２及び図３では図示を省略するが、上記第１光学部品５２１〜５２５，６Ａ，６Ｂを内部に収納する部品収納部材５２Ａ１と、当該部品収納部材５２Ａ１に第１光学部品を収納するための開口部を閉塞する蓋状部材５２Ａ２（ともに図４及び図５参照）とを有する。
【００３５】
［第２照明装置の構成］
第２照明装置５３は、青色光を第２光学装置５４に出射する。この第２照明装置５３は、図２に示すように、第２光源装置５３１、拡散板５３２及び反射部材５３３を備える。
第２光源装置５３１は、第３色光としての青色光をＸ方向とは反対方向に出射する。第２光源装置５３１は、上記第１光源装置５１１と同様に、それぞれ青色光を出射する複数のＬＤ（Laser Diode）がマトリクス状に配列された基板と、集光レンズ及び平行化レンズとを有する。
拡散板５３２は、第２光源装置５３１から入射される光束を拡散させて透過させる。
反射部材５３３は、上記反射部材５１５と同様に、拡散板５３２を介してＸ方向とは反対方向から入射される光束を反射させる全反射層５３３１を有し、当該全反射層５３３１により当該光の光路をＺ方向に略９０度屈曲させる。この反射部材５３３により反射された光は、第２光学装置５４に入射される。なお、上記のように、反射部材５３３は、図３に示すように、反射部材５１５の下側（Ｙ方向とは反対側）に位置している。
【００３６】
［第２光学装置の構成］
第２光学装置５４は、図３に示すように、第１光学装置５２の下側（Ｙ方向とは反対側）に配置されている。第２光学装置５４は、第１レンズアレイ５４１、第２レンズアレイ５４２、偏光変換素子５４３、重畳レンズ５４４及び光学調整装置６（６Ｃ）を第２光学部品として備える他、これらを内部に収納する第２光学部品用筐体５４Ａを備える。
第１レンズアレイ５４１、第２レンズアレイ５４２、偏光変換素子５４３及び重畳レンズ５４４は、上記と同様に、均一照明装置として機能する。これら各光学部品５４１〜５４４は、それぞれ上記光学部品５２１〜５２４と同様の構成を有する。
【００３７】
光学調整装置６Ｃは、光学調整装置６Ａと同様の構成及び機能を有し、第２レンズアレイ５４２と偏光変換素子５４３との間に配置される。光学調整装置６Ｃは、光学調整装置６Ａと同様に動作される。すなわち、光学調整装置６Ａが光束の一部を遮蔽する場合には、光学調整装置６Ｃも光束の一部を遮蔽し、光学調整装置６Ａが光束を遮蔽しない場合には、光学調整装置６Ｃも光束を遮蔽しないように動作される。
【００３８】
第２光学部品用筐体５４Ａは、第１光学部品用筐体５２Ａと同様に、第２光学部品５４１〜５４４，６Ｃを内部に収納する部品収納部材５４Ａ１と、当該部品収納部材５４Ａ１に光学部品５４１〜５４４及び光学調整装置６Ｃを収納するための開口部を閉塞する蓋状部材５４Ａ２（ともに図４及び図５参照）とを備える。
このような第２光学装置５４により、中心軸に直交する面内の照度が均一化された光束（青の光束）は、Ｚ方向に進行して、青用の画像形成装置５５Ｂに入射される。
なお、本実施形態では、図３に示すように、第２光学装置５４を透過する光の中心軸は、第１光学装置５２を透過する光の中心軸に対して平行ではなく、Ｚ方向に向かうに従ってＹ方向側に位置するように傾斜している。これは、第２光学部品用筐体５４ＡのＺ方向側の端部が、後述する画像形成装置５５Ｇと干渉することを避け、光学ユニット５、ひいては、プロジェクター１のＹ方向の寸法（厚さ寸法）を小さくするためである。
【００３９】
［画像形成装置の構成］
画像形成装置５５は、第１光学装置５２及び第２光学装置５４から入射される色光毎に設けられ、入射される色光を画像情報に応じて変調する。画像形成装置５５（赤、緑及び青の各色用の画像形成装置をそれぞれ５５Ｒ，５５Ｇ，５５Ｂとする）は、図３に示すように、それぞれ、反射型偏光板としてのワイヤーグリッド５５１と、反射型光変調装置５５２と、偏光板５５３と、これらを支持する支持体５５４とを備える。
なお、画像形成装置５５Ｒ，５５Ｇは、本発明の第１画像形成装置に相当し、また、それぞれ第１色光用画像形成装置及び第２色光用画像形成装置に相当する。画像形成装置５５Ｂは、本発明の第２画像形成装置に相当する。
【００４０】
ワイヤーグリッド５５１は、入射される光束の中心軸に対して略４５度傾斜して配置され、格子構造に基づく回折により入射された光束を偏光分離する。具体的に、ワイヤーグリッド５５１は、入射される光のうち、所定の偏光光（第１の直線偏光光）を透過させ、第１の直線偏光光の偏光方向に直交する偏光方向を有する偏光光（第２の直線偏光光）を反射させることで、入射された光を偏光分離する。
【００４１】
反射型光変調装置５５２は、入射される光束を反射させる過程で、当該光束を上記制御装置から入力される画像情報に応じて変調する光変調装置である。本実施形態では、反射型光変調装置５５２は、反射型液晶パネルを有する。反射型光変調装置５５２は、ワイヤーグリッド５５１を透過した光の中心軸に略直交する状態で配置される。
そして、反射型光変調装置５５２は、上記制御装置から信号が入力されることで液晶の配向状態を制御し、ワイヤーグリッド５５１を透過した偏光光を変調して、当該ワイヤーグリッド５５１に向けて反射させる。反射型光変調装置５５２にて変調されてワイヤーグリッド５５１に入射された光のうち、上記第２の直線偏光光と同一の偏光方向を有する偏光光のみがワイヤーグリッド５５１にて反射されて偏光板５５３に入射される。
【００４２】
偏光板５５３は、入射される光のうち、上記第２の直線偏光光の偏光方向と同一の偏光方向を有する偏光光を透過させる。すなわち、ワイヤーグリッド５５１及び偏光板５５３の双方を用いることで、ワイヤーグリッド５５１にて所望の直線偏光光以外の偏光成分が反射された場合であっても、偏光板５５３にて当該偏光成分が透過されないように構成されている。このような偏光板５５３は、色合成装置５６において各色光に応じて設定された光入射面５６Ｒ，５６Ｇ，５６Ｂに対向するように配置される。
【００４３】
支持体５５４は、上記のように、色毎に設けられたワイヤーグリッド５５１、反射型光変調装置５５２及び偏光板５５３を支持する。すなわち、支持体５５４も、色毎に設けられる。
支持体５５４は、ＹＺ平面に沿う断面形状が略直角二等辺三角形状である三角柱状の中空部材であり、アルミニウムで構成されている。支持体５５４において、直角二等辺三角形状の斜辺が含まれる第１側面には、上記ワイヤーグリッド５５１が固定される。また、頂角を挟む二辺のうち、ワイヤーグリッド５５１を透過した偏光光が入射される一辺が含まれる第２側面には、上記反射型光変調装置５５２が固定される。当該第２側面に隣り合う第３側面には、偏光板５５３が固定される。
【００４４】
［色合成装置の構成］
色合成装置５６は、上記各画像形成装置５５（５５Ｒ，５５Ｇ，５５Ｂ）から入射される色光を合成して、投射光学装置５７に向けて出射する合成光学装置である。色合成装置５６は、本実施形態では、クロスダイクロイックプリズムを備えて構成されている。
クロスダイクロイックプリズムは、４つの直角プリズムを貼り合せた平面視略正方形状を有する。当該クロスダイクロイックプリズムの６つの外面のうち、Ｙ方向を向く外面が赤用の光入射面５６Ｒであり、Ｙ方向とは反対側を向く外面が青用の光入射面５６Ｂであり、Ｚ方向とは反対側を向く外面が緑用の光入射面５６Ｇである。また、当該６つの外面のうち、Ｚ方向を向く外面が光出射面５６Ａである。
【００４５】
このようなクロスダイクロイックプリズムにおいて、上記直角プリズム同士を貼り合せた界面には、２つの誘電体多層膜が形成されている。これら誘電体多層膜は、Ｚ方向に沿って入射される緑色光を透過させ、Ｙ方向とは反対方向に沿って入射される赤色光と、Ｙ方向に沿って入射される青色光をそれぞれＺ方向に向けて反射させる。このようにして合成された各色光は、Ｚ方向側に位置する投射光学装置５７に向かって光出射面５６Ａから出射される。
【００４６】
［投射光学装置の構成］
投射光学装置５７は、色合成装置５６から入射される各色光、すなわち、当該各色光により形成される画像を上記被投射面に向かって投射する投射レンズである。投射光学装置５７は、詳しい図示を省略するが、複数のレンズと、当該複数のレンズを内部に収納する鏡筒５７１（図４〜図７参照）とを備えた組レンズとして構成されている。
【００４７】
［光学ユニットの取付構造］
図４及び図５は、光学ユニット５を示す斜視図及び側面図である。なお、図４及び図５では、光学ユニット５を構成する第１照明装置５１と、第２照明装置５３を構成する第２光源装置５３１及び拡散板５３２との図示を省略している。この他、図４及び図５では、ベース部材７の図示も一部省略している。
上記光学ユニット５は、図４及び図５に示すように、ベース部材７に固定される。
ベース部材７は、ダイキャストにより製造されたアルミニウム製又はマグネシウム製の部材であり、下面部２２と対向するようにロアーケース２Ｂ（図１参照）に固定される。ベース部材７は、平面視略Ｔ字状（Ｙ方向側から見て略Ｔ字状）に形成されている。ベース部材７は、詳しい図示を省略するが、Ｘ方向とは反対側の端部に第１照明装置５１が固定される固定部を有し、Ｘ方向側の端部に第２照明装置５３が固定される固定部を有する。なお、図４及び図５では、第１照明装置５１を構成する反射部材５１５の図示を省略したが、当該反射部材５１５と、第２照明装置５３を構成する反射部材５３３とは、Ｙ方向に沿って互いに重なるように配置される。
【００４８】
ベース部材７は、Ｚ方向に沿って延出する延出部７１を有する。
延出部７１は、脚部７２、ベース部材固定部７３、載置部７４、支持部材固定部７５及び保持部材取付部７６を有する。
脚部７２は、図５に示すように、延出部７１におけるＹ方向とは反対側の面から突出するように複数形成されている。それぞれの脚部７２は、ロアーケース２Ｂの内面に形成された孔部（図示省略）に挿入され、これにより、ベース部材７がロアーケース２Ｂに位置決め固定される。
ベース部材固定部７３は、図４及び図５に示すように、ロアーケース２Ｂの内面にベース部材７をねじ（図示省略）により固定する部位である。ベース部材固定部７３は、延出部７１の周縁における複数箇所に設けられており、当該ねじが挿通する孔部７３１（図４参照）をそれぞれ有する。
【００４９】
載置部７４は、延出部７１におけるＺ方向とは反対側の位置に配置されている。載置部７４には、第２光学装置５４が載置及び固定される。
支持部材固定部７５は、第１光学装置５２を支持する支持部材９がねじＳ１により固定される部位であり、載置部７４近傍で、かつ、当該載置部７４の外側に配置されている。なお、支持部材９については、後に詳述する。
保持部材取付部７６は、延出部７１におけるＺ方向側の位置に配置されている。保持部材取付部７６には、保持部材８がねじＳ２により取り付けられる。
【００５０】
［保持部材の構成］
保持部材８は、上記画像形成装置５５（５５Ｒ，５５Ｇ，５５Ｂ）が取り付けられた色合成装置５６と投射光学装置５７とを一体的に保持する。保持部材８は、投射光学装置５７を保持するとともに、保持部材取付部７６に取り付けられる枠体８１と、色合成装置５６を支持する一対のアーム部材８２とを備える。
【００５１】
枠体８１は、Ｚ方向から見て略矩形状に形成されており、投射光学装置５７が挿通する矩形状の開口部８１１を中央に有する。この枠体８１のＺ方向側の端面には、投射光学装置５７の鏡筒５７１に設けられ、当該鏡筒５７１から径方向に突出するフランジ部５７２が当接される。この状態で、投射光学装置５７は、枠体８１にねじ固定される。
枠体８１は、Ｙ方向とは反対側の端部に、ＸＺ平面に沿う取付部８１２を有する。取付部８１２には、図示を省略するが、上記ねじＳ２が挿通する孔部が形成されており、当該ねじＳ２が保持部材取付部７６に螺合することで、枠体８１は、ベース部材７（延出部７１）に固定される。
【００５２】
一対のアーム部材８２は、枠体８１におけるＺ方向とは反対側の面に取り付けられる。そして、各アーム部材８２は、色合成装置５６において各光入射面５６Ｒ，５６Ｇ，５６及び光出射面５６Ａと交差する一対の端面を挟持する。各アーム部材８２と当該一対の端面とは接着剤により接合される。
【００５３】
［支持部材の構成］
図６は、図４に示した状態から第１光学装置５２を取り外した光学ユニット５を示す斜視図である。図７は、図６に示した光学ユニット５をＹ方向側から見た平面図である。
支持部材９は、上記支持部材固定部７５に取り付けられ、第１光学装置５２を支持する。具体的に、支持部材９は、図６及び図７に示すように、載置部７４に固定された第２光学装置５４を跨ぐように配置された状態で第１光学装置５２を支持することにより、第１光学装置５２と第２光学装置５４とがＹ方向に沿って重なる状態を維持する。
【００５４】
図８及び図９は、支持部材９を示す斜視図である。なお、図８及び図９においては、ダクト部材９４の図示を省略している。
支持部材９は、ベース部材７と同様に製造されたアルミニウム製又はマグネシウム製部材である。支持部材９は、図８及び図９に示すように、載置部９１、延出部９２、固定部９３及びダクト部材９４（図７、図１０及び図１１参照）を備える。
【００５５】
載置部９１は、図８に示すように、Ｙ方向側から見て略矩形状に形成されている。載置部９１は、支持部材９がベース部材７に取り付けられた際にＹ方向に略直交する部位（すなわち、鉛直方向に直交する部位）である。載置部９１は、第１光学装置５２及び第２光学装置５４に挟まれる位置に配置され、当該載置部９１には、第１光学装置５２が載置及び固定される。換言すると、第２光学装置５４の第２光学部品用筐体５４Ａは、載置部９１によってＹ方向側の面の一部が覆われる。このような載置部９１は、支持部９１１、光学装置固定部９１２，９１３、起立部９１４、ダクト固定部９１５，９１６，９１７及び開口部９１８を有する。
【００５６】
支持部９１１は、載置部９１におけるＸ方向側及びＺ方向側の隅部に位置し、当該載置部９１からＹ方向に突出している。支持部９１１におけるＹ方向側の端面は、ＸＺ平面に沿う略平面状に形成されており、支持部９１１は、当該端面にて、第１光学装置５２の第１光学部品用筐体５２Ａ（部品収納部材５２Ａ１）におけるＹ方向とは反対側の底面を支持する。
光学装置固定部９１２，９１３は、支持部９１１により支持された第１光学装置５２が固定される部位である。光学装置固定部９１２は、支持部９１１に対してＺ方向側に位置し、当該支持部９１１と接続されている。光学装置固定部９１３は、載置部９１においてＸ方向とは反対側に配置されている。これら光学装置固定部９１２，９１３は、部品収納部材５２Ａ１を挿通するねじ（図示省略）が螺合するねじ孔９１２１，９１３１と、当該部品収納部材５２Ａ１に挿入される位置決めピン９１２２，９１３２とを有する。
【００５７】
起立部９１４は、載置部９１からＹ方向側に起立し、Ｙ方向側から見て平面視略Ｕ字状に形成されている。起立部９１４は、載置部９１の略中央からＸ方向とは反対側及びＺ方向側に延び、当該載置部９１の端部まで延出している。起立部９１４は、後述するダクト部材９４（図８及び図９参照）と組み合わされることで、上記ファン４２から送出された冷却空気を、第１光学部品用筐体５２Ａ内の偏光変換素子５２３と、支持部材９が跨る第２光学部品用筐体５４Ａ内の偏光変換素子５４３とに導くダクトＤを構成する。
起立部９１４の内側で、かつ、載置部９１における略中央の位置には、略矩形状の開口部９１４１が形成されている。開口部９１４１は、上記ダクトＤを流通した空気の一部を、偏光変換素子５４３に向けて送出する送出口である。
【００５８】
ダクト固定部９１５〜９１７は、起立部９１４の周囲にそれぞれ設けられ、後述するダクト部材９４が固定される部位である。ダクト固定部９１５，９１６は、載置部９１からＹ方向に突出し、ダクト固定部９１７は、起立部９１４の縁部からＹ方向に屈曲するように形成されている。これらダクト固定部９１５〜９１７は、ダクト部材９４を挿通したねじ（図示省略）が螺合するねじ孔９１５１，９１６１，９１７１を有する。また、ダクト固定部９１５，９１６は、当該ダクト部材９４を位置決めする位置決めピン９１５２，９１６２を有する。
開口部９１８は、載置部９１におけるＸ方向側の端部近傍に位置している。この開口部９１８には、載置部９１に対してＹ方向側とは反対側に位置する第２光学装置５４を調整する治具（図示省略）が挿入される開口部である。
【００５９】
延出部９２は、図８及び図９に示すように、載置部９１からＹ方向とは反対方向に延出する部位であり、第２光学部品用筐体５４ＡにおけるＹＺ平面に沿う側面の一部を覆う部位である。この延出部９２は、載置部９１におけるＸ方向側の端部から延出する第１延出部９２１と、Ｘ方向とは反対側の端部におけるＺ方向側の端部、及び、Ｚ方向とは反対側の端部からそれぞれ延出する第２延出部９２２及び第３延出部９２３とを有する。
第１延出部９２１及び第２延出部９２２は、ＸＺ平面に沿う断面が略Ｕ字状に形成されている。第２延出部９２２は、ＸＺ平面に沿う断面が略Ｌ字状に形成されている。すなわち、各延出部９２１〜９２３には、リブが形成され、強度が確保されている。
【００６０】
固定部９３は、支持部材９をベース部材７に取り付ける部位である。固定部９３は、図９に示すように、各延出部９２１〜９２３におけるＹ方向とは反対側の端部に設けられた第１固定部９３１、第２固定部９３２及び第３固定部９３３をそれぞれ有する。
各固定部９３１〜９３３は、支持部材９をベース部材７に固定するねじ（図示省略）が挿通する孔部９３１１，９３２１，９３３１を有する。また、各固定部９３１，９３２は、ベース部材７に設けられた位置決めピン（図示省略）が挿通する長孔９３１２，９３２２を有する。
【００６１】
［ダクト部材の構成］
図１０は、ダクト部材９４をＹ方向側から見た図であり、図１１は、ダクト部材９４をＹ方向とは反対側から見た図である。
ダクト部材９４は、厚さ方向の断面が略Ｕ字状に形成された合成樹脂製の部材である。ダクト部材９４は、内部に空間が形成されるように、略Ｕ字状の端部が上記起立部９１４に当接するように配置される。すなわち、当該空間がダクトＤとなる。
ダクト部材９４は、図１０及び図１１に示すように、一端側（Ｚ方向側）に位置する導入口９４１と、他端側（Ｚ方向とは反対側）に位置する接続部９４２及び送出口９４３とを有する他、それぞれ外側に延出する固定部９４４〜９４６を有する。
【００６２】
導入口９４１は、上記起立部９１４とダクト部材９４とが組み合わされて構成されるダクトＤ内に、ファン４２から送出された冷却空気を導入する。
接続部９４２は、略矩形状に形成され、Ｙ方向に起立している。接続部９４２は、第１光学部品用筐体５２Ａの一側面である底面（Ｙ方向とは反対側の面）において、偏光変換素子５２３に応じた位置に接続される。なお、図示を省略するが、第１光学部品用筐体５２Ａには、当該底面及びＹ方向側の面において偏光変換素子５２３に応じた位置には、開口が形成されている。
送出口９４３は、接続部９４２の内側に形成されており、ダクトＤ内に導入された空気のうち一部の空気を、接続部９４２を介して上記偏光変換素子５２３に送出する。なお、当該ダクトＤ内に導入された空気のうち残りの空気は、載置部９１に形成された開口部９１４１、及び、第２光学部品用筐体５４Ａの開口部（図示省略）を介して当該第２光学部品用筐体５４Ａ内に導かれ、偏光変換素子５４３に送出される。
【００６３】
固定部９４４〜９４６は、それぞれ、ダクト部材９４が載置部９１に取り付けられた際に上記ダクト固定部９１５〜９１７に応じた位置に設けられている。
固定部９４４〜９４６は、それぞれ、ねじ孔９１５１，９１６１，９１７１に応じた位置に、孔部９４４１，９４５１，９４６１を有する。また、固定部９４４，９４５は、位置決めピン９１５２，９１６２が挿入される孔部９４４２，９４５２を有する。なお、孔部９４５２は、長孔状に形成されている。そして、各孔部９４４１，９４５１，９４６１を挿通したねじ（図示省略）が、各ねじ孔９１５１，９１６１，９１７１に螺合することにより、ダクト部材９４は、載置部９１に固定される。
【００６４】
そして、ベース部材７に載置及び固定された第２光学装置５４を跨ぐように当該ベース部材７に固定された支持部材９に、第１光学装置５２が載置及び固定される。また、上記のように、ファン４２から送出された空気は、支持部材９に設けられたダクトＤを介して、第１光学装置５２の偏光変換素子５２３及び第２光学装置５４の偏光変換素子５４３にそれぞれ送出され、これら偏光変換素子５２３，５４３が冷却される。
【００６５】
［実施形態の効果］
以上説明した本実施形態に係るプロジェクター１によれば、以下の効果がある。
第１光学装置５２及び第２光学装置５４は、鉛直方向に沿って互いに重なるように配置される。これによれば、第１光学装置５２及び第２光学装置５４が、鉛直方向に重ならないように配置される場合に比べて、光学ユニット５が配置される面積を小さくすることができる。従って、プロジェクター１の下面部２２の面積を小さくすることができ、小型化を図ることができる。
【００６６】
第２光学装置５４に跨るように配置される支持部材９が第１光学装置５２を支持することにより、第２光学装置５４に対して鉛直方向に沿って重なる位置に第１光学装置５２を確実に配置できる。従って、上記面積を確実に小さくすることができ、プロジェクター１の小型化を確実に図ることができる。
【００６７】
第２光学装置５４は、ロアーケース２Ｂ内に配置されるベース部材７に載置及び固定される。また、支持部材９は、当該支持部材９がベース部材７に配置された際にＹ方向に略直交する部位であり、第１光学装置５２と第２光学装置５４との間に配置されて当該第１光学装置５２が載置される載置部９１を有する。更に、支持部材９は、載置部９１からベース部材７に向かって延出する延出部９２と、延出部９２における載置部９１とは反対側に設けられ、支持部材９をベース部材７に固定する固定部９３と、を有する。これによれば、ベース部材７及び支持部材９により、第１光学装置５２及び第２光学装置５４を一体化できる。従って、プロジェクター１の組立時において光学ユニット５の取り扱いを簡略化できる。また、ベース部材７に、各照明装置５１，５３及び第２光学装置５４が固定され、支持部材９を介して第１光学装置５２が固定され、保持部材８を介して画像形成装置５５（５５Ｒ，５５Ｇ，５５Ｂ）、色合成装置５６及び投射光学装置５７が固定されるので、外装筐体２内にて光学ユニット５を組み立てる煩雑さを低減できる。従って、プロジェクター１の組立工程を簡略化できる。
【００６８】
支持部材９は、各光学装置５２，５４の偏光変換素子５２３，５４３に冷却空気を導くダクトＤを有する。これによれば、各偏光変換素子５２３，５４３に冷却空気を導くダクトを別途設ける必要がない。従って、プロジェクター１を構成する部品点数の増加を抑制できる。
【００６９】
偏光変換素子５２３，５４３は、入射光により温度が上昇しやすく劣化しやすいが、ダクトＤにより冷却空気が導かれるので、当該偏光変換素子５２３，５４３の温度上昇を抑制できる。従って、偏光変換素子５２３，５４３の劣化を抑制できる。
【００７０】
第１レンズアレイ５２１にて分割された複数の部分光束は、第２レンズアレイ５２２と重畳レンズ５２４とにより、赤用及び緑用の反射型光変調装置５５２に重畳される。同様に、第１レンズアレイ５４１にて分割された複数の部分光束は、第２レンズアレイ５４２及び重畳レンズ５４４により、青用の反射型光変調装置５５２に重畳される。これによれば、各反射型光変調装置５５２に入射される光の中心軸に直交する面内の照度（輝度）を均一化できる。従って、各反射型光変調装置５５２により形成されて色合成装置５６により合成される画像に色むら及び輝度むらが生じることを抑制できる。
【００７１】
色分離装置としてのダイクロイックミラー５２５により、第１照明装置５１から出射された光から分離された赤色光及び緑色光は、それぞれ、赤用及び緑用の画像形成装置５５Ｒ，５５Ｇにより変調される。これにより、赤画像及び緑画像が形成される。第２照明装置５３から出射された青色光は、青用の画像形成装置５５Ｂにより変調される。これにより、青画像が形成される。そして、各色画像は、色合成装置５６により合成される。これによれば、赤、緑及び青の色光ごとに画像形成装置５５が設けられるので、形成される画像の解像度を高くすることができる他、色再現性を向上できる。
【００７２】
［変形例］
本発明は、上記実施形態に限定されるものではなく、本発明の目的を達成できる範囲での変形、改良等は本発明に含まれるものである。
上記実施形態では、第１光学装置５２は、ベース部材７に固定され、第２光学装置５４は、当該ベース部材７に固定される支持部材９により支持され、これにより、第１光学装置５２及び第２光学装置５４は、Ｙ方向に沿って互いに重なるように配置されるとした。しかしながら、本発明はこれに限らない。すなわち、第１光学装置５２及び第２光学装置５４が鉛直方向に沿って互いに重なるように配置されるのであれば、ベース部材７及び支持部材９は無くてもよい。また、ベース部材７を設けずに、第２光学装置５４及び支持部材９を外装筐体２の内面に固定する構成としてもよい。
【００７３】
上記実施形態では、第１照明装置５１は、赤色光及び緑色光が含まれる黄色光を出射する構成とし、第２照明装置５３は、青色光を出射する構成とした。しかしながら、本発明はこれに限らない。すなわち、他の色光をそれぞれ出射する構成としてもよく、同じ色光（例えば白色光）を出射する構成としてもよい。
また、第１照明装置５１は、入射される光の波長変換を行う波長変換装置５１４を備えるとした。しかしながら、本発明はこれに限らず、上記赤色光及び緑色光を直接出射する構成であってもよい。
更に、各照明装置５１，５３は、ＬＤを有する構成でなくてもよい。例えば、ＬＥＤ（Light Emitting Diode）等の他の固体光源を有する構成や、放電光源ランプを有する構成を採用してもよい。すなわち、各照明装置５１，５３の構成は適宜変更可能である。
【００７４】
上記実施形態では、支持部材９は、載置部９１からＹ方向とは反対側に延出する３つの延出部９２（９２１〜９２３）を有するとした。しかしながら、本発明はこれに限らない。すなわち、延出部９２の数は、１つ以上であればよい。例えば、Ｚ方向側から見て横向きの略Ｕ字状に構成された支持部材を採用してもよい。更に、各延出部９２を接続する載置部９１は無くてもよい。この場合、各延出部９２（９２１〜９２３）におけるＹ方向側の端部に、第１光学装置５２を支持する載置部（支持部）を設ければよい。
【００７５】
上記実施形態では、支持部材９は、起立部９１４及びダクト部材９４が組み合わされて構成されるダクトＤを有するとした。しかしながら、本発明はこれに限らない。すなわち、ダクトＤは無くてもよい。また、当該ダクトＤ内を流通する冷却空気は、偏光変換素子５２３，５４３のそれぞれに導かれるとしたが、本発明はこれに限らない。例えば、偏光変換素子５２３，５４３の一方にのみ、冷却空気が導かれる構成としてもよい。更に、偏光変換素子に加えて他の光学部品に冷却空気が導かれる構成としてもよく、偏光変換素子ではない他の光学部品にのみ冷却空気が導かれる構成としてもよい。
【００７６】
上記実施形態では、第１光学装置５２は第１光学部品５２１〜５２５，６Ａ，６Ｂを有し、第２光学装置５４は第２光学部品５４１〜５４４，６Ｃを有するとした。しかしながら、本発明はこれに限らない。例えば、第１光学装置５２を構成する第１光学部品と、第２光学装置５４を構成する第２光学部品とを入れ替えてもよい。すなわち、第１光学装置５２と第２光学装置５４との配置位置を逆にしてもよい。更に、各光学装置５２，５４を構成する光学部品は、適宜変更可能である。
【００７７】
上記実施形態では、光学調整装置６Ａは、第２レンズアレイ５２２と偏光変換素子５２３との間に配置された。光学調整装置６Ｂは、重畳レンズ５２４とダイクロイックミラー５２５との間に配置された。光学調整装置６Ｃは、第２レンズアレイ５４２と偏光変換素子５４３との間に配置された。しかしながら、本発明はこれに限らない。すなわち、光学調整装置６（６Ａ〜６Ｃ）の配置位置は、第１光源装置５１１及び第２光源装置５３１から出射されて外装筐体２外に出射される光の光路上に配置されていれば、どの位置であってもよい。
上記実施形態では、プロジェクター１は、３つの光学調整装置６（６Ａ〜６Ｃ）を備えるとした。しかしながら、本発明はこれに限らない。すなわち、光学調整装置６の数は適宜設定してよい。また、調整する光学特性がそれぞれ異なる光学調整装置６を配置する構成としてもよい。更に、上記のように、光学調整装置６は無くてもよい。
上記実施形態では、合成光学装置としての色合成装置５６は、変調された各色光を合成するとした。しかしながら、本発明はこれに限らない。すなわち、第１照明装置から出射されて変調された光と、第２照明装置から出射されて変調された光とを合成するものであれば、他の構成及び特性を有するものでもよい。
【００７８】
上記実施形態では、プロジェクター１は、それぞれ画像形成装置５５（５５Ｒ，５５Ｇ，５５Ｂ）に設けられ、かつ、入射される光を変調する３つの反射型光変調装置５５２を備えるとした。しかしながら、本発明はこれに限らない。すなわち、２つ、あるいは、４つ以上の反射型光変調装置を用いたプロジェクターにも、本発明を適用可能である。
上記実施形態では、光入射面と光出射面とが同一となる反射型液晶パネルを有する反射型光変調装置５５２を採用した。しかしながら、本発明はこれに限らず、光入射面と光出射面とが異なる透過型液晶パネルを有する光変調装置を採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００７９】
上記実施形態では、画像の投射方向と当該画像の観察方向とが略同じであるフロントタイプのプロジェクター１を例示したが、本発明はこれに限らない。例えば、投射方向と観察方向とがそれぞれ反対方向となるリアタイプのプロジェクターにも適用できる。
【符号の説明】
【００８０】
１…プロジェクター、７…ベース部材、６Ａ，６Ｂ…光学調整装置（第１光学部品）、６Ｃ…光学調整装置（第２光学部品）、９…支持部材、５１…第１照明装置、５２…第１光学装置、５３…第２照明装置、５４…第２光学装置、５５Ｒ…画像形成装置（第１画像形成装置、第１色光用画像形成装置又は第２色光用画像形成装置）、５５Ｇ…画像形成装置（第１画像形成装置、第２色光用画像形成装置又は第１色光用画像形成装置）、５５Ｂ…画像形成装置（第２画像形成装置）、９１…載置部、９２…延出部、９３…固定部、５２１…第１レンズアレイ（第１光学部品）、５２２…第２レンズアレイ（第１光学部品）、５２３…偏光変換素子（第１光学部品）、５２４…重畳レンズ（第１光学部品）、５２５…ダイクロイックミラー（第１光学部品、色分離装置）、５４１…第１レンズアレイ（第２光学部品）、５４２…第２レンズアレイ（第２光学部品）、５４３…偏光変換素子（第２光学部品）、５４４…重畳レンズ（第２光学部品）、Ｄ…ダクト。
【図１】
2015014729.tif 000003
【図２】
2015014729.tif 000004
【図３】
2015014729.tif 000005
【図４】
2015014729.tif 000006
【図５】
2015014729.tif 000007
【図６】
2015014729.tif 000008
【図７】
2015014729.tif 000009
【図８】
2015014729.tif 000010
【図９】
2015014729.tif 000011
【図１０】
2015014729.tif 000012
【図１１】
2015014729.tif 000013